(57)【要約】【課題】本発明は、床部分に特別な加工を施すことなく、シートクッションに作用する荷重から、シートクッション下方の物品載置スペースに収納された物品の保護ができる車体構造を提供する。【解決手段】本発明は、シートクッション１１下方の床部分３に形成した物品載置スペース２０を、断面凸状のカバー部材２５，２６で、床部分３との間で閉断面を形成するように覆い、シートクッション１１の下面を、当該カバー部材２５，２６の形状に合わせた凹部２１に形成した。これにより、カバー部材２５，２６によって、物品載置スペース２０の収納物品１８，１９が、シートクッション１１に作用する荷重から保護されるようにした。【選択図】      図１
2006224933.tif 000002
【特許請求の範囲】
【請求項１】
シート装置のシートクッション下方の床部分に形成された物品載置スペースと、
断面凸状に形成され、前記物品載置スペースを覆うとともに、前記床部分とで閉断面を形成するように設けられたカバー部材と、を具備し、
前記シートクッションの下面に前記カバー部材の形状に合わせた凹部を形成することを特徴とする車体構造。
【請求項２】
前記カバー部材は、パネル部材から形成され、その前後両縁部を前記床部分に結合されることを特徴とする請求項１に記載の車体構造。
【請求項３】
前記カバー部材は、前記床部分に延設されるクロスメンバを介して前記床部分に結合されることを特徴とする請求項１又は請求項２に記載の車体構造。
【請求項４】
前記カバー部材は、前記シートクッションの凹部を支持するように構成されていることを特徴とする請求項１ないし請求項３のいずれか一つに記載の車体構造。
【請求項５】
前記カバー部材は、前方部を他の部分よりも高く隆起させ、後方部に行くにしたがって徐々に下がるように傾斜させてなることを特徴とする請求項１ないし請求項４のいずれか一つに記載の車体構造。
【請求項６】
前記シートクッションは、リヤシートのクッションであることを特徴とする請求項１ないし請求項５のいずれか一つに記載の車体構造。
【発明の詳細な説明】
【技術分野】
【０００１】
本発明は、シートクッション下方に物品載置スペースが形成される車体構造に関する。
【背景技術】
【０００２】
自動車（車両）の車体は、別途、機器を設置するためのスペースが用意されていない。
【０００３】
そのため、自動車に搭載される制御用の機器やユーザーが使用するツールなどは、パワーユニットやその他の車載機器を考慮して、車体に搭載する工夫が求められる。
【０００４】
そこで、自動車では、特許文献１に開示されているように、別途、シート装置のシートクッション下のフロアを加工して、フロア下面に収納スペースを確保する構造が提案されている。
【特許文献１】実開平６−３４４９５５号公報
【発明の開示】
【発明が解決しようとする課題】
【０００５】
ところが、こうしたフロア下面に収納スペースを形成する構造は、自動車のフロア部分に特別な加工を施さないと、求められるスペースが確保できない。
【０００６】
このため、収納スペースの確保は、構造的にも、コスト的にもかなりの負担が強いられる。
【０００７】
そこで、負担が軽くてすむ構造として、シートクッション下方のフロア上面には、物品を載置するための物品載置スペースを確保しておき、シートクッション下面を凹ませて、フロア上面とシートクッション下面との間で、物品の収納が行えるようにした構造が提案されている。
【０００８】
しかしながら、同構造は、シートクッション下面を凹ませただけなので、シートクッションに大きな荷重が加わるような場合、シートクッションが撓んで、収納した物品を傷つけてしまうおそれがある。
【０００９】
そこで、本発明の目的は、床部分に特別な加工を施すことなく、シートクッションに作用する荷重から、シートクッション下方の物品載置スペースに収納された物品の保護ができる車体構造を提供することにある。
【課題を解決するための手段】
【００１０】
請求項１に記載の発明は、上記目的を達成するために、シートクッション下方の床部分に形成した物品載置スペースを、断面凸状のカバー部材で、床部分との間で閉断面を形成するように覆い、シートクッションの下面を、当該カバー部材の形状に合わせた凹部とした。つまり、カバー部材により、物品載置スペースの収納物品が、シートクッションに作用する荷重から保護される構成とした。
【００１１】
請求項２に記載の発明は、上記目的に加え、さらに簡単なカバー部材で収納物品の保護が行なえるよう、カバー部材には、パネル部材から形成し、その前後両縁部を床部分に結合する構造を採用した。
【００１２】
請求項３に記載の発明は、上記目的に加え、さらにシートクッションに加わる荷重に十分に耐えられるよう、カバー部材は、床部分に延設されるクロスメンバを介して床部分に結合される構成とした。
【００１３】
請求項４に記載の発明は、上記目的に加え、さらにカバー部材がシートクッションの支持部材を兼ねるよう、カバー部材には、シートクッションの凹部を支持する構成とした。
【００１４】
請求項５に記載の発明は、上記目的に加え、さらにカバー部材自身が、車体剛性を向上させる部材として機能、さらにはシートクッションの座り心地を設定する設定手段として機能もするよう、カバー部材には、前方部を他の部分よりも高く隆起させ、後方部に行くにしたがって徐々に下がるように傾斜させた構成を採用した。
【００１５】
請求項６に記載の発明は、上記目的に加え、さらにリヤシートのシートクッション下方の床部分に物品載置スペースを形成するという特殊な構造下で物品載置スペースの収納物品の保護が行なえるよう、リヤシートのシートクッション下方に物品載置スペースを形成した構造に、カバー部材で収容物品を保護する技術を採用した。
【発明の効果】
【００１６】
請求項１に記載の発明によれば、断面凸状のカバー部材で、床部分の物品載置スペースを覆う構造（カバー部材の凸状部分が収納部となる構造）を採用したことにより、構造的、コスト的な負担が大きい床部分の特別な加工を必要とせずに、シートクッションに作用する荷重から、物品載置スペースの収納物品を保護することができる。特にシートクッション下面は、カバー部材の形状に合わせてあるうえ、カバー部材は、床部分との間で閉断面を形成して取付けられるので、カバー部材で、高い剛性強度（車体剛性）を確保しながら、シートクッションを確実に支持することができ、十分な物品の保護ができる。
【００１７】
請求項２に記載の発明によれば、さらに上記効果に加え、さらにパネル部材で形成されるカバー部材を用いて、簡単に物品載置スペースの収納物品を保護することができる。
【００１８】
請求項３に記載の発明によれば、さらに上記効果に加え、カバー部材（シートクッション）に作用する荷重を、クロスメンバから車体の骨格部材へ逃がすことができ、これにより、一層、優れた物品保護が期待できる。
【００１９】
請求項４に記載の発明によれば、さらに上記効果に加え、カバー部材をシートクッションの支持部材として兼用させることができ、シートクッションの支持構造の簡素化が図れる。
【００２０】
請求項５に記載の発明によれば、さらに上記効果に加え、カバー部材の形状から、車体剛性（床部分）を向上させることができるうえ、シートクッションの座り心地の設定ができる。特にカバー部材の形状や大きさを変えて、シートクッションの各部の厚み寸法や形状を調整すると、座り心地（硬さ）を容易にコントロールすることができる。
【００２１】
請求項６に記載の発明によれば、さらに上記効果に加え、リヤシートのシートクッション下方の床部分に物品載置スペースを形成するという特殊な構造下で、収納物品の保護を行なうことができる。
【発明を実施するための最良の形態】
【００２２】
［一実施形態］
以下、本発明を図１〜図５に示す一実施形態にもとづいて説明する。
【００２３】
図１は、車両、例えば自動車の車室構造の側断面図を示していて、図中１は車体、２は同車体１の床部を形成するフロアパネルを示している。フロアパネル２のリヤ側は、図２および図３にも示されるように段状に隆起した台部３、同台部３から斜め上側に傾斜する傾斜部４を経て、車体１の後部へ水平方向に延びている。このフロアパネル２のうちの台部３および傾斜部４の上面部分から、リヤシート設置部５を形成している。
【００２４】
図２に示されるようにフロアパネル２の車幅方向両側は、一対のサイドフレーム７（車体前後方向に延びる部材）で支えられている。また台部３の角部３ａ内には、サイドフレーム７間に結合されたクロスメンバ８（車幅に延びる部材）が沿わせてある。
【００２５】
リヤシート設置部５には、図２にも示されるようにシート装置、例えばベンチ式のリヤシート１０が取付けられる。リヤシート１０は、台部３の上面および傾斜部４の下側に配置されるシートクッション１１（例えばウレタンなどクッション部材で形成された本体部に表皮を設けた構造）と、傾斜部４の上段に固定されてシートクッション１１の後部に配置されたシートバック１２とを有して構成してある。シートクッション１１は、例えば左右（車幅方向）両側にそれぞれ座面１１ａ，１１ｂ（二人分）をもつ。このシートクッション１１は、図１および図２に示されるように例えばシートクッション１１の前部下端に有る係止部１３が、台部３の上面と回動（前後）可能に係止されることにより固定してある。なお、１４は、各係止部１３と回動可能に係止する床部側のブラケットを示す（角部３ａの上面に設置）。これにより、シートクッション１１は、係止部１３の回動点を支点として前起し可能に据え付けられる。このシートクッション１１の各座面１１ａ，１１ｂに、図１中の二点鎖線に示されるようにそれぞれ乗員Ａが着座される。一般的には、着座は、乗員Ａの大腿部Ａ１が座面１１ａ，１１ｂの前部に載り、乗員Ａの臀部Ａ２が座面１１ａ，１１ｂの後側に載る姿勢で行なわれる。
【００２６】
一方、図１および図２に示されるようにシートクッション１１の下方の床部分である台部３の上面には、物品を載置するための物品載置スペース２０が形成されている。具体的には、図３に示されるように物品載置スペース２０は、座面１１ａから座面１１ｂまでの台部３の上面部分に形成されている。またシートクッション１１の下面のうち、物品載置スペース２０と向き合う下面部分の全域には、凹部２１が形成されていて、物品載置スペース２０上に物品収納用の空間を確保している。この物品載置スペース２０は、シートクッション１１を前方へ起こす操作（図１中の矢印αで示すブラケット１４を支点としたシートクッション１１の前起し操作）にて、開放されるようになっている（開閉）。
【００２７】
図３に示されるように物品載置スペース２０の片側、例えば座面１１ａの下側となる部位には、物品として、パンク修理キット２２が設置され、残る座面１１ｂの下側となる部位には、物品として、ＥＣＵ２３（制御機器）が設置されている。つまり、シートクッション１１の凹部２１内に車載物品を納めている。これで、シートクッション下方のデッドスペースに、各種の車載物品を収納させている。
【００２８】
図１〜図３に示されるように台部３の上面（シートクッション下方の床部分）には、カバー部材２５，２６が取付けられている。これらカバー部材２５，２６には、いずれも断面が凸状に形成された部材が用いてある。これらカバー部材２５，２６は、物品載置スペース２０の各部を、上側からパンク修理キット２２およびＥＣＵ２３と一緒に覆うように、台部３の上面（床部分）に配置させてある。そして、カバー部材２５，２６が、いずれも台部３の上面（床部分）との間で閉断面をなすように、台部３の上面に取付けてある。
【００２９】
具体的には、図１〜図３に示されるようにカバー部材２５，２６には、いずれも例えばハット形に折り曲げて断面凸状としたパネル部材３１が用いられている。このパネル部材３１が、物品載置スペース２０の各部に、前後に向いた姿勢でそれぞれ配置され、パンク修理キット２２やＥＣＵ２３を上側からそれぞれ覆っている。このパネル部材３１の前後方向の両縁部が、それぞれ台部３（床部分）に結合されている。例えばパネル部材３１の前・後側の縁部には、それぞれ固定座３１ａ，３１ｂが形成されている。そして、前側の固定座３１ａが、固定具、例えばボルト・ナット３２により、台部３の上面（床部分）に着脱可能に結合され、後側の固定座３１ｂが、固定具、例えばボルト・ナット３４により、傾斜部４との境界をなす上面（床部分）に着脱可能に結合されている。こうした結合構造により、パネル部材３１は、台部３０との間で、高い剛性強度をもたらす閉断面構造を形成しながら、台部３０の上面に固定させてある。なお、パネル部材３１には、自身で高い剛性強度が確保されるよう、波形形状に成形した部材が用いてある。
【００３０】
シートクッション下面の凹部２１は、このパネル部材３１の形状と合うように形成されていて、パネル部材３１（カバー部材２５，２６）自身の剛性強度、さらには閉断面がもたらす剛性強度により、シートクッション１１に作用する荷重から、物品載置スペース２０に納めた物品（パンク修理キット２２やＥＣＵ２３）を保護する構造としている。特にパネル部材３１（カバー部材２５，２６）は、シートクッション１１の凹部２１を下側から支えるように構成されている。
【００３１】
またパネル部材３１（カバー部材２５，２６）に作用する荷重を分散させるために、パネル部材３１（カバー部材２５，２６）の支持の仕方には工夫が施してある。具体的には、図１に示されるように該パネル部材３１のうち、前側の縁部となる固定座３１ａは、床部分に延設されたクロスメンバ、例えば台部３の角部３ａ内を挿通しているクロスメンバ８を介して、台部３に結合してある。残る後側の縁部となる固定座３１ｂは、図１〜図３に示されるように床部分に延設されたクロスメンバ、例えば車体１の傾斜部４の上面に設置されたクロスメンバ３３を介して、台部３に結合されている。このクロスメンバ８，３３を介在させた結合から、パネル部材３１（カバー部材２５，２６）へ作用する荷重が、車体１の骨格部材（サイドフレーム７）へ分散される構造にしている（パネル部材３１の負担：小）。なお、クロスメンバ３３は、フロアパネル２の両側を通るサイドフレーム７に結合される部材である。
【００３２】
さらにパネル部材３１（カバー部材２５，２６）には、パネル部材３１自身がシートクッション１１の座り心地を設定する手段を兼ねる工夫も施されている。
【００３３】
この点を説明すると、図１〜図３に示されるようにパネル部材３１（カバー部材２５，２６）は、シートクッション１１を下側から支える上面３０の各部を起伏させて、通常時に求められる座り心地、ここでは各座面１１ａ，１１ｂの前部を、各座面１１ａ，１１ｂの後部側より硬くした座り心地（硬さ具合）を確保している。すなわち、シートクッション１１の座面高さは、車両により定まる一定な規定値である。このため、パネル部材３１（カバー部材２５，２６）の上面３０の各部が座面１１ａ，１１ｂに接近する方向に隆起すれば、その部分では、座面１１ａ，１１ｂと上面部分との間の距離が短くなる。つまり、同部分におけるシートクッション１１のクッション材の厚み寸法は、それにならって薄くなり、乗員Ａの座り心地としては硬くなるという体感が生まれる。逆にパネル部材３１（カバー部材２５，２６）の上面３０の各部が下降し、座面１１ａ，１１ｂから遠ざかれば、その部分では、座面１１ａ，１１ｂと上面部分との間の距離が長くなる。つまり、同部分におけるシートクッション１１のクッション材の厚み寸法は、それにならって厚くなり、乗員Ａの座り心地としては軟らかくなるという体感が生まれる。
【００３４】
この挙動を利用して、標準的な座り心地を得るために、パネル部材３１（カバー部材２５，２６）の上部のうち、座面１１ａ，１１ｂの前部（乗員の大腿部が載る部位）を支える前パネル部分３５には、同パネル部分を他の部分より高く隆起させた受け部３６が形成してある。なお、受け部３６は、後側へ向かうにしたがい、若干、下っている。３６ａはその下り部分を示している。また座面１１ａ，１１ｂの後部（乗員の臀部が載る部位）を支える後パネル部分３７は、下り部分３６ａから後部側へ向かうにしたがって急激に下降する斜面３７ａよりなる受け部３８が形成されている。シートクッション１１の凹部２１は、こうしたパネル部材３１（カバー部材２５，２６）の形状、すなわち前方部を他の部分よりも高く隆起させ、後方部にいくにしたがって徐々に下がる形状（傾斜）と嵌まり合うように形成されていて、シートクッション１１に、例えば標準的な、前部は硬く、後部側は軟らかいという座り心地を確保している。
【００３５】
つまり、カバー部材２５，２６は、物品載置スペース２０の保護、シートクッション１１の支持部材を兼用するだけでなく、車体剛性（床部分）を向上させたり、シートクッション１１の座り心地の設定も行なえる設定手段としての機能を兼ね備えさせてある。
【００３６】
このように構成されたシートクッション下方の構造によると、シートクッション下方の物品載置スペース２０は、断面が凸状のカバー部材２５，２６で覆う（カバー部材の凸状部分が収納部となる構造）という、構造的、コスト的にも負担が強いられる床部分の特別な加工を必要としない構造で、物品載置スペース２０の収納物品（パンク修理キット２２やＥＣＵ２３）が保護できる。これにより、たとえシートクッション１１に大きな荷重が作用しても、収納物品（パンク修理キット２２やＥＣＵ２３）がシートクッション１１の撓みにより、傷つけられることはなくなる。特にシートクッション１１の凹部２１はカバー部材２５，２６に合わせてあるうえ、カバー部材２５，２６は閉断面を形成しながら台部３に取付けてあるので、シートクッション１１の支持は確実、さらには高い剛性強度（カバー部材２５，２６および台部３共）が確保でき、収納物品の保護には十分である。
【００３７】
しかも、カバー部材２５，２６の据え付けは、直接、台部３（床部分）に結合するのではなく、クロスメンバ８，３３を介して、台部３（床部分）に結合させる構造を採用したので、カバー部材２５，２６に作用する荷重をクロスメンバ８，３３から車体１の骨格部材へ逃がすことができ、カバー部材２５，２６の負担は軽くてすむ。
【００３８】
そのうえ、カバー部材２５，２６には、断面凸状としたパネル部材３１の前後両縁部を台部３（床部分）に結合する構造が用いてあるので、収納物品の保護は簡単な構造ですむ。
【００３９】
また、カバー部材２５，２６は、シートクッション１１の凹部２１を支持する構造を採用したので、カバー部材２５，２６自身が、シートクッション１１を支持する支持部材を兼ねることができ、その分、シートクッション１１の支持構造が簡素化できる。
【００４０】
加えて、カバー部材２５，２６には、前方部を他の部分よりも高く隆起させ、後方部に行くにしたがって徐々に下がるように傾斜させた構造を採用したことで、シートクッション１１の座り心地の設定ができる。
【００４１】
すなわち、今、標準的な、前部は硬く、後部側は軟らかいという座り心地が、図１に示されるようなカバー部材２５，２６の前方部を他の部分よりも高く隆起させ、後方部に行くにしたがって徐々に下がる傾斜により得られたとする（各座面１１ａ，１１ｂの下側のクッション材の厚みが、乗員Ａの大腿部Ａ１が載る座面１１ａ，１１ｂの前部で薄く、乗員Ａの臀部Ａ２が乗る座面１１ａ，１１ｂの後側で厚く調整）。
【００４２】
このとき、この標準的な座り心地より、硬い座り心地に調整するときは、例えば図４に示されるように受け部３６の形状を、標準的な形状に比べ、例えば座面１１ａ、１１ｂの最前部と接近するよう、高く隆起した頂き部３６ｂと、若干下る下り部分３６ａとを有した形状とし、受け部３８の形状を、受け部３６から下る斜面３７ａで形成し、それに合わせてシートクッション１１の厚みや形状を調整（標準的な場合に比べ座面前部のクッション部分が小）することにより、硬めの座り心地に調整される。
【００４３】
また標準的な座り心地より、軟らかい座り心地に調整するときは、例えば図５に示されるように受け部３６の形状を、標準的な形状に比べ、例えば座面１１ａ，１１ｂの前部から遠ざかるよう、低い隆起部３６ｃと、若干下る下り部分３６ａとを有した形状とし、受け部３８の形状を、受け部３６から下る斜面３７ａで形成し、それに合わせてシートクッション１１の厚みや形状を調整（標準的な場合に比べ座面前部のクッション部分が大）することにより、柔らかめの座り心地に調整される。
【００４４】
このようにカバー部材２５，２６の形状や大きさを変えることで、シートクッション１１の厚みや形状の調整から、座り心地（硬さ）が設定されるから、容易に座り心地をコントールすることができる。しかも、カバー部材２５，２６の形状や大きさから、台部３（床部分）の剛性を向上させることができる。
【００４５】
特にリヤシート１０の下方に物品載置スペース２０を形成する特殊な車体構造でも、カバー部材２５，２６を用いる構造により、容易に、収納物品の保護、支持部材（シートクッション１１）の兼用、車体剛性の向上、座り心地のコントロールなどができる。
【００４６】
なお、本発明は上述した一実施形態に限定されるものではなく、本発明の主旨を逸脱しない範囲内で種々変更して実施しても構わない。例えば上述した一実施形態は、シートクッション下方の床部分の物品載置スペースに、パンク修理キットやＥＣＵを収容したが、これに限らず、他の物品でもよく、さらには収納容器でも構わない。また一実施形態では、リヤシート下に物品載置スペースを形成したが、フロントシート下に物品載置スペースを形成しても構わない。
【図面の簡単な説明】
【００４７】
【図１】本発明の一実施形態の要部となるシートクッション回りの車体構造を示す側断面図。
【図２】シートクッション下の、カバー部材で覆った床部分上の物品載置スペースを示す斜視図。
【図３】そのカバー部材を取外した状態を示す斜視図。
【図４】カバー部材によって、標準より、硬めに座り心地が設定されたときを示す側断面図。
【図５】カバー部材によって、標準より、軟らかめに座り心地が設定されたときを示す側断面図。
【符号の説明】
【００４８】
１…車体、２…フロアパネル、３…台部（床部分）、８，３３…クロスメンバ、１０…リヤシート、１１…シートクッション、１１ａ，１１ｂ…座面、２０…物品載置スペース、２１…凹部、２５，２６…カバー部材、３１…パネル部材、３１ａ，３１ｂ…固定座（前後両縁部）、Ａ…乗員。
【図１】
2006224933.tif 000003
【図２】
2006224933.tif 000004
【図３】
2006224933.tif 000005
【図４】
2006224933.tif 000006
【図５】
2006224933.tif 000007